(57)【特許請求の範囲】
【請求項１】
第１の識別情報を使用する第１の管理装置へのコンテンツを第２の識別情報を使用する第２の管理装置から受信し、
前記第１の管理装置および前記第２の管理装置のいずれの管理装置でも使用されない第３の識別情報と前記第１の識別情報とを関連付けたテーブルを参照することにより、受信されたコンテンツに付与されている識別情報を検索し、
前記第３の識別情報が検索された場合、前記コンテンツに付与されている識別情報を、前記第３の識別情報から前記テーブルにより前記第３の識別情報に関連付けされている前記第１の識別情報に変換し、
変換により前記第１の識別情報が付与された前記コンテンツを前記第１の管理装置内の記憶領域に格納し、
前記第１の識別情報が付与された前記コンテンツの前記第１の管理装置での実行履歴情報を、前記第１の識別情報に関連付けてデータベースに登録し、
前記第２の管理装置から前記第３の識別情報が付与された前記コンテンツの実行履歴要求を受信し、
前記実行履歴要求が受信された場合、前記テーブルを参照することにより、前記第３の識別情報から前記第１の識別情報を検索し、当該検索された前記第１の識別情報に関連付けられている前記第１の管理装置での実行履歴情報を前記データベースから検索し、
検索された前記第１の管理装置での実行履歴情報を前記第２の管理装置に送信し、
検索された前記第１の管理装置での実行履歴情報から、前記コンテンツの送信先を検出し、
前記コンテンツが第４の識別情報を使用する第３の管理装置に送信されたことが検出された場合、前記第１の管理装置および前記第３の管理装置のいずれの管理装置でも使用されない第５の識別情報と前記第３の識別情報とを関連付けたテーブルを参照することにより、前記実行履歴要求に付与されている識別情報を検索し、
前記第３の識別情報が検索された場合、前記実行履歴要求に付与されている識別情報を、前記第３の識別情報から前記第５の識別情報と前記第３の識別情報とを関連付けたテーブルにより前記第３の識別情報に関連付けされている前記第５の識別情報に変換し、
変換により前記第５の識別情報が付与された実行履歴要求を前記第３の管理装置へ送信する、
処理を前記第１の管理装置に実行させることを特徴とする管理プログラム。
【請求項２】
第１の識別情報を使用する第１の管理装置へのコンテンツを第２の識別情報を使用する第２の管理装置から受信し、
受信されたコンテンツに付与されている識別情報に基づいて、前記第１の管理装置および前記第２の管理装置のいずれの管理装置でも使用されない第３の識別情報と前記第１の識別情報とを関連付けたテーブルを登録し、
前記第３の識別情報と前記第１の識別情報とを関連付けた前記テーブルを参照することにより、受信されたコンテンツに付与されている識別情報を検索し、
前記第３の識別情報が検索された場合、前記コンテンツに付与されている識別情報を、前記第３の識別情報から前記テーブルにより前記第３の識別情報に関連付けされている前記第１の識別情報に変換し、
変換により前記第１の識別情報が付与された前記コンテンツを前記第１の管理装置内の記憶領域に格納し、
前記第１の識別情報が付与された前記コンテンツの前記第１の管理装置での実行履歴情報を、前記第１の識別情報に関連付けてデータベースに登録し、
前記第２の管理装置から前記第３の識別情報が付与された前記コンテンツの実行履歴要求を受信し、
前記実行履歴要求が受信された場合、前記テーブルを参照することにより、前記第３の識別情報から前記第１の識別情報を検索し、当該検索された前記第１の識別情報に関連付けられている前記第１の管理装置での実行履歴情報を前記データベースから検索し、
検索された前記第１の管理装置での実行履歴情報を前記第２の管理装置に送信し、
検索された前記第１の管理装置での実行履歴情報から、前記コンテンツの送信先を検出し、
前記コンテンツが第４の識別情報を使用する第３の管理装置に送信されたことが検出された場合、前記第１の管理装置および前記第３の管理装置のいずれの管理装置でも使用されない第５の識別情報と前記第３の識別情報とを関連付けたテーブルを参照することにより、前記実行履歴要求に付与されている識別情報を検索し、
前記第３の識別情報が検索された場合、前記実行履歴要求に付与されている識別情報を、前記第３の識別情報から前記第５の識別情報と前記第３の識別情報とを関連付けたテーブルにより前記第３の識別情報に関連付けされている前記第５の識別情報に変換し、
変換により前記第５の識別情報が付与された実行履歴要求を前記第３の管理装置へ送信する、
処理を前記第１の管理装置に実行させることを特徴とする管理プログラム。
【請求項３】
第１の識別情報が付与されたコンテンツを記憶する第１の管理装置であって、
第１の識別情報を使用する第１の管理装置へのコンテンツを第２の識別情報を使用する第２の管理装置から受信する第１の受信部と、
前記第１の管理装置および前記第２の管理装置のいずれの管理装置でも使用されない第３の識別情報と前記第１の識別情報とを関連付けたテーブルを参照することにより、前記第１の受信部によって受信されたコンテンツに付与されている識別情報を検索する第１の検索部と、
前記第１の検索部によって前記第３の識別情報が検索された場合、前記コンテンツに付与されている識別情報を、前記第３の識別情報から前記テーブルにより前記第３の識別情報に関連付けされている前記第１の識別情報に変換する第１の変換部と、
前記第１の変換部による変換により前記第１の識別情報が付与された前記コンテンツを前記第１の管理装置内の記憶領域に格納する格納部と、
前記第１の識別情報が付与された前記コンテンツの前記第１の管理装置での実行履歴情報を、前記第１の識別情報に関連付けてデータベースに登録する登録部と、
前記第２の管理装置から前記第３の識別情報が付与された前記コンテンツの実行履歴要求を受信する第２の受信部と、
前記第２の受信部によって前記実行履歴要求が受信された場合、前記テーブルを参照することにより、前記第３の識別情報から前記第１の識別情報を検索し、当該検索された前記第１の識別情報に関連付けられている前記第１の管理装置での実行履歴情報を前記データベースから検索する第２の検索部と、
前記第２の検索部によって検索された前記第１の管理装置での実行履歴情報を前記第２の管理装置に送信する第１の送信部と、
前記第２の検索部によって検索された前記第１の管理装置での実行履歴情報から、前記コンテンツの送信先を検出する検出部と、
前記検出部によって、前記コンテンツが第４の識別情報を使用する第３の管理装置に送信されたことが検出された場合、前記第１の管理装置および前記第３の管理装置のいずれの管理装置でも使用されない第５の識別情報と前記第３の識別情報とを関連付けたテーブルを参照することにより、前記実行履歴要求に付与されている識別情報を検索する第３の検索部と、
前記第３の検索部によって前記第３の識別情報が検索された場合、前記実行履歴要求に付与されている識別情報を、前記第３の識別情報から前記第５の識別情報と前記第３の識別情報とを関連付けたテーブルにより前記第３の識別情報に関連付けされている前記第５の識別情報に変換する第２の変換部と、
前記第２の変換部による変換により前記第５の識別情報が付与された実行履歴要求を前記第３の管理装置へ送信する第２の送信部と、
を有することを特徴とする管理装置。
【請求項４】
第１の識別情報が付与されたコンテンツを記憶する第１の管理装置が、
第１の識別情報を使用する第１の管理装置へのコンテンツを第２の識別情報を使用する第２の管理装置から受信し、
前記第１の管理装置および前記第２の管理装置のいずれの管理装置でも使用されない第３の識別情報と前記第１の識別情報とを関連付けたテーブルを参照することにより、受信されたコンテンツに付与されている識別情報を検索し、
前記第３の識別情報が検索された場合、前記コンテンツに付与されている識別情報を、前記第３の識別情報から前記テーブルにより前記第３の識別情報に関連付けされている前記第１の識別情報に変換し、
変換により前記第１の識別情報が付与された前記コンテンツを前記第１の管理装置内の記憶領域に格納し、
前記第１の識別情報が付与された前記コンテンツの前記第１の管理装置での実行履歴情報を、前記第１の識別情報に関連付けてデータベースに登録し、
前記第２の管理装置から前記第３の識別情報が付与された前記コンテンツの実行履歴要求を受信し、
前記実行履歴要求が受信された場合、前記テーブルを参照することにより、前記第３の識別情報から前記第１の識別情報を検索し、当該検索された前記第１の識別情報に関連付けられている前記第１の管理装置での実行履歴情報を前記データベースから検索し、
検索された前記第１の管理装置での実行履歴情報を前記第２の管理装置に送信し、
検索された前記第１の管理装置での実行履歴情報から、前記コンテンツの送信先を検出し、
前記コンテンツが第４の識別情報を使用する第３の管理装置に送信されたことが検出された場合、前記第１の管理装置および前記第３の管理装置のいずれの管理装置でも使用されない第５の識別情報と前記第３の識別情報とを関連付けたテーブルを参照することにより、前記実行履歴要求に付与されている識別情報を検索し、
前記第３の識別情報が検索された場合、前記実行履歴要求に付与されている識別情報を、前記第３の識別情報から前記第５の識別情報と前記第３の識別情報とを関連付けたテーブルにより前記第３の識別情報に関連付けされている前記第５の識別情報に変換し、
変換により前記第５の識別情報が付与された実行履歴要求を前記第３の管理装置へ送信する、
処理を実行することを特徴とする管理方法。
【発明の詳細な説明】
【技術分野】
【０００１】
本発明は、ＩＤを管理する管理プログラム、管理装置、および管理方法に関する。
【背景技術】
【０００２】
近年、ＩＣＴ（Ｉｎｆｏｒｍａｔｉｏｎ  ａｎｄ  Ｃｏｍｍｕｎｉｃａｔｉｏｎ  Ｔｅｃｈｎｏｌｏｇｙ）関連技術の発展により、複数企業がそれぞれの情報システムを連携させてプロジェクトを展開するようになってきている。この際、各企業は、コンテンツを他の企業に預けたり他の企業から預かったりする場合がある。
【０００３】
例えば、大量のコンテンツを持つ企業と、大量のコンテンツを分析するシステムを持つ企業と、大量のコンテンツを分析した結果を利用する企業とが連携して、プロジェクトを展開する例が挙げられる。ここで、各企業は、自身の預けた大量のコンテンツのうちどのコンテンツに対してどのような処理をして欲しいかを他の企業に適切に指示する必要がある。
【０００４】
一般に、各企業では、企業内でコンテンツを一意に特定するためのＩＤ（ＩＤｅｎｔｉｆｉｃａｔｉｏｎ）をコンテンツに付与することで、大量のコンテンツを体系的に管理し、それらコンテンツに対する処理を適切に実行している。したがって、他の企業に適切に処理を指示するためには、指示元の企業と指示先の企業において、関連のあるＩＤを使用することで、コンテンツを対応付けて指示を行う必要がある。
【０００５】
従来、コンテンツを対応付ける技術として、複数企業が同一ＩＤを用いることでコンテンツの対応付けを行う技術がある。例えば、一の企業がコンテンツにＩＤを付与し、該一の企業が付与したＩＤを他の企業も使用するようにして、コンテンツを対応付ける（例えば、下記特許文献１参照。）。
【先行技術文献】
【特許文献】
【０００６】
【特許文献１】特開２００４―２９５２４７号公報
【発明の概要】
【発明が解決しようとする課題】
【０００７】
しかしながら、上述した技術では、各企業は互いが使用するＩＤの対応関係を保持している。したがって、連携しているいずれかの企業からＩＤの対応関係とコンテンツが流出した場合に、流出したＩＤの対応関係と流出したコンテンツに付与されたＩＤとから、該流出していない企業のＩＤを導き出すことができる。そのため、該流出していない企業も企業名や個人情報を不正入手される虞があるという問題があった。また、ＩＤを付与されたコンテンツに関連する情報が流出した時に、流出していない企業は、ＩＤの対応関係によって、流出された情報と自分のコンテンツを対応付けられる。そうすると、情報が流出した企業は、流出した情報とコンテンツを合わせて得られる情報が知られてしまう問題があった。
【０００８】
本発明は、上述した課題を解決し、目的を達成するため、各々内部で使用しているＩＤを秘匿しながらコンテンツを利用することができる管理プログラム、管理装置、および管理方法を提供することを目的とする。
【課題を解決するための手段】
【０００９】
上記課題を解決し、目的を達成するため、第１の管理装置内で第１の識別情報が付与されたコンテンツの送信先として第２の識別情報を使用する第２の管理装置を指定された場合、第１の管理装置および第２の管理装置のいずれの管理装置でも使用されない第３の識別情報と第１の識別情報とを関連付けたテーブルを参照することにより、コンテンツに付与すべき識別情報を検索し、コンテンツに付与されている第１の識別情報を、検索された第３の識別情報に変換し、変換により第３の識別情報が付与されたコンテンツを第２の管理装置に送信する管理プログラム、管理装置、および管理方法が、一例として提案される。
【００１０】
また、第１の管理装置内で第１の識別情報が付与されたコンテンツの送信先として第２の識別情報を使用する第２の管理装置を指定された場合、第１の管理装置および第２の管理装置のいずれの管理装置でも使用されない第３の識別情報と第１の識別情報とを関連付けたテーブルを登録し、第３の識別情報と第１の識別情報とを関連付けたテーブルを参照することにより、コンテンツに付与すべき識別情報を検索し、コンテンツに付与されている第１の識別情報を、検索された第３の識別情報に変換し、変換により第３の識別情報が付与されたコンテンツを第２の管理装置に送信する管理プログラム、管理装置、および管理方法が、一例として提案される。
【００１１】
さらに、第１の識別情報を使用する第１の管理装置へのコンテンツを第２の識別情報を使用する第２の管理装置から受信し、第１の管理装置および第２の管理装置のいずれの管理装置でも使用されない第３の識別情報と第１の識別情報とを関連付けたテーブルを参照することにより、受信されたコンテンツに付与されている識別情報を検索し、第３の識別情報が検索された場合、コンテンツに付与されている識別情報を、第３の識別情報からテーブルにより第３の識別情報に関連付けされている第１の識別情報に変換し、変換により第１の識別情報が付与されたコンテンツを第１の管理装置内の記憶領域に格納する管理プログラム、管理装置、および管理方法が、一例として提案される。
【００１２】
また、第１の識別情報を使用する第１の管理装置へのコンテンツを第２の識別情報を使用する第２の管理装置から受信し、受信されたコンテンツに付与されている識別情報に基づいて、第１の管理装置および第２の管理装置のいずれの管理装置でも使用されない第３の識別情報と第１の識別情報とを関連付けたテーブルを登録し、第３の識別情報と第１の識別情報とを関連付けたテーブルを参照することにより、受信されたコンテンツに付与されている識別情報を検索し、第３の識別情報が検索された場合、コンテンツに付与されている識別情報を、第３の識別情報からテーブルにより第３の識別情報に関連付けされている第１の識別情報に変換し、変換により第１の識別情報が付与されたコンテンツを第１の管理装置内の記憶領域に格納する管理プログラム、管理装置、および管理方法が、一例として提案される。
【発明の効果】
【００１３】
本発明にかかる管理プログラム、管理装置、および管理方法によれば、各々内部で使用しているＩＤを秘匿しながらコンテンツを利用することができるという効果を奏する。
【図面の簡単な説明】
【００１４】
【図１】仮ＩＤによるコンテンツの対応関係を示す説明図である。
【図２】管理装置のハードウェア構成を示すブロック図である。
【図３】ＩＤ管理テーブルの構成を示す説明図である。
【図４】ログテーブルの構成を示す説明図である。
【図５】管理装置の機能的構成例を示すブロック図である。
【図６】実施例１にかかるコンテンツ受信処理とコンテンツ送信処理の具体例を示す説明図である。
【図７】実施例１にかかるコンテンツ送信処理の詳細を示すフローチャートである。
【図８】実施例１にかかるコンテンツ受信処理の詳細を示すフローチャートである。
【図９】実施例１にかかるログ送信処理の具体例を示す説明図である。
【図１０】実施例１にかかるログ出力処理の具体例を示す説明図である。
【図１１】実施例１にかかるコンテンツのログ出力処理の詳細を示すフローチャートである。
【図１２】実施例１にかかるコンテンツのログ送信処理の詳細の流れを示すフローチャートである。
【図１３】実施例２にかかるコンテンツ受信処理とコンテンツ送信処理の具体例を示す説明図である。
【図１４】実施例２にかかる送信用ログを示す説明図である。
【図１５】実施例２にかかる統合ログを示す説明図である。
【図１６】実施例２にかかるログ送信処理の詳細を示すフローチャートである。
【発明を実施するための形態】
【００１５】
以下に添付図面を参照して、本発明の実施の形態にかかる管理プログラム、管理装置、および管理方法を詳細に説明する。なお、本実施の形態では各種テーブルが用いられるが、テーブルは一例であり、他の構造のデータベースでもよい。
【００１６】
（仮ＩＤによるコンテンツの対応付けの内容）
まず、図１を用いて仮ＩＤによるコンテンツ１１０の対応関係について説明する。
【００１７】
図１は、仮ＩＤによるコンテンツの対応関係を示す説明図である。ここでは、企業１と企業２とがそれぞれの管理装置１００を連携させてプロジェクトを行っている例を挙げる。また、企業１の管理装置１００を管理装置１０１、企業２の管理装置１００を管理装置１０２とする。
【００１８】
本実施の形態において、管理装置１００はコンテンツ１１０を送信する側の装置としても機能するし、コンテンツ１１０を受信する側の装置としても機能する。以下では、管理装置１０１をコンテンツ１１０を送信する側の管理装置１００とし、管理装置１０２をコンテンツ１１０を受信する側の管理装置１００とする。
【００１９】
各管理装置１００は自装置内でコンテンツ１１０を識別するためのＩＤ（以下、「装置内ＩＤ」という）を発行している。装置内ＩＤとは、自装置内でコンテンツ１１０を一意に特定する識別情報であり、例えば、ひらがな、アルファベット、数字、またはその組合せからなる任意長の文字列が挙げられる。また、ここでは、装置内ＩＤを、コンテンツ１１０を一意に特定する識別情報としたが、コンテンツ１１０のユーザを一意に特定する識別情報、または、コンテンツを一意に特定できなくても一定範囲に絞れるコンテンツの属性情報であってもよい。そして、各管理装置１００は、自装置内でコンテンツ１１０の識別には使用しない装置内ＩＤに関連付けたＩＤ（以下、「仮ＩＤ」という）を保持している。
【００２０】
ここで、各管理装置１００は、コンテンツ１１０を送信する際には、コンテンツ１１０に付与されている装置内ＩＤを仮ＩＤに変換して、変換したコンテンツ１１０を送信する。また、仮ＩＤが付与されているコンテンツ１１０を受信した管理装置１００は、受信したコンテンツ１１０に付与されている仮ＩＤを自装置の装置内ＩＤに変換して、変換した装置内ＩＤを用いてコンテンツ１１０を識別する。
【００２１】
例えば、管理装置１０１は、コンテンツ１１０に付与された装置内ＩＤ「１２３」を仮ＩＤ「ａｂｃ」に変換して、変換したコンテンツ１１０を管理装置１０２に送信する。管理装置１０２は、受信したコンテンツ１１０に付与された仮ＩＤ「ａｂｃ」を装置内ＩＤ「ＸＹＺ」に変換する。管理装置１０２は、自装置内では、装置内ＩＤ「ＸＹＺ」を用いてコンテンツ１１０を識別する。したがって、各管理装置１００は、仮ＩＤと装置内ＩＤの関連付けにかかる情報を秘匿する限り、外部に装置内ＩＤを把握されることはないため、装置内ＩＤを秘匿することができる。
【００２２】
また、コンテンツ１１０の返却要求をする場合も、各管理装置１００で共通である仮ＩＤを用いる。例えば、管理装置１０１が装置内ＩＤ「１２３」に対応するコンテンツ１１０を管理装置１０２に預けた場合であって、管理装置１０２に該コンテンツ１１０を送り返して欲しいとする。この場合、管理装置１０１は、装置内ＩＤ「１２３」に関連付けられた仮ＩＤ「ａｂｃ」を用いて管理装置１０２に処理を要求する。そして、要求を受信した管理装置１０２は、仮ＩＤ「ａｂｃ」に関連付けられた装置内ＩＤ「ＸＹＺ」に対応するコンテンツ１１０を管理装置１０１に送り返す。このように、管理装置１００は、仮ＩＤを介してコンテンツ１１０を対応付けることができ、他の管理装置１００に適切な処理を指示できる。
【００２３】
以上のように、管理装置１００は、装置内ＩＤを秘匿しつつコンテンツ１１０を対応付けることができる。なお、ここでは、管理装置１００は企業所有のコンピュータとしたが、個人所有のコンピュータであってもよい。
【００２４】
（管理装置のハードウェア構成）
次に、図２を用いて管理装置１００のハードウェア構成について説明する。
【００２５】
図２は、管理装置のハードウェア構成を示すブロック図である。図２において、管理装置１００は、ＣＰＵ（Ｃｅｎｔｒａｌ  Ｐｒｏｃｅｓｓｉｎｇ  Ｕｎｉｔ）２０１と、記憶装置２０２と、Ｉ／Ｆ（Ｉｎｔｅｒｆａｃｅ）２０３と、ディスプレイ２０４と、を備えている。また、各構成部は、バス２０５によってそれぞれ接続されている。
【００２６】
ＣＰＵ２０１は、管理装置１００全体の制御を司る。記憶装置２０２は、管理プログラムを記憶している。また、記憶装置２０２は、ＩＤ管理テーブル２０２ａとログテーブル２０２ｂを記憶している。記憶装置２０２としては、不揮発性メモリやフラッシュメモリ、ハードディスクドライブなどを採用することができる。
【００２７】
Ｉ／Ｆ２０３は、ネットワーク２１０に接続され、このネットワーク２１０内の他の管理装置１００に接続される。他の管理装置１００とは、例えば、連携先企業が所有する管理装置１００である。そして、Ｉ／Ｆ２０３は、ネットワーク２１０と内部のインタフェースを司り、外部装置からのデータの入出力を制御する。
【００２８】
ディスプレイ２０４は、カーソル、アイコンあるいはツールボックスをはじめ、文章、画像、機能情報等のデータを表示する。このディスプレイ２０４は、例えば、ＣＲＴ、ＴＦＴ液晶ディスプレイ、プラズマディスプレイ等を採用することができる。
【００２９】
（ＩＤ管理テーブルの構成）
次に、図２に示したＩＤ管理テーブル２０２ａの構成について説明する。
【００３０】
図３は、ＩＤ管理テーブルの構成を示す説明図である。図３に示すように、ＩＤ管理テーブル２０２ａは、連携先項目と、装置内ＩＤ項目と、仮ＩＤ項目と、を有し、連携先毎にレコードを構成する。
【００３１】
連携先項目には、連携相手となる管理装置１００を有する企業の識別情報が記憶される。例えば、コンテンツ１１０の送信先または送信元の管理装置１００を所有する連携先企業の企業名が記憶される。装置内ＩＤ項目には、上述した装置内ＩＤが記憶される。仮ＩＤ項目には、上述した仮ＩＤが記憶される。また、ＩＤ管理テーブル２０２ａに連携先項目を記憶せず、連携先企業毎にＩＤ管理テーブル２０２ａを作成してもよいし、仮ＩＤ自体に連携先企業の企業名を含めてもよい。なお、図３のＩＤ管理テーブル２０２ａの記憶内容は、上述した管理装置１０１のＩＤ管理テーブル２０２ａの記憶内容を例示している。
【００３２】
（ログテーブルの構成）
次に、図２に示したログテーブル２０２ｂの構成について説明する。
【００３３】
図４は、ログテーブルの構成を示す説明図である。図４に示すように、ログテーブル２０２ｂは、装置内ＩＤ項目と、操作日時項目と、企業項目と、ユーザ項目と、操作種別項目と、を有し、操作日時毎にレコードを構成する。ログテーブル２０２ｂは、管理装置１００内のコンテンツ１１０を管理装置１００のユーザが操作した場合に更新される。
【００３４】
装置内ＩＤ項目には、ユーザが操作したコンテンツ１１０に付与されている装置内ＩＤが記憶される。操作日時項目には、管理装置１００内のコンテンツ１１０をユーザが操作した日時が記憶される。企業項目には、コンテンツ１１０を操作したユーザが所属する企業名が記憶される。ユーザ項目には、コンテンツ１１０を操作したユーザ名が記憶される。操作種別項目には、コンテンツ１１０に対するユーザによる操作の内容が記憶される。操作の内容とは、例えば、コンテンツ１１０の送受信やコンテンツ１１０の編集・解析・削除である。なお、図４のログテーブル２０２ｂの記憶内容は、上述した管理装置１０１のログテーブル２０２ｂの記憶内容を例示している。
【００３５】
また、以下では、簡単のため、上述した操作した日時と、企業名と、ユーザ名と、操作の内容と、を「ログ」という。ここでは、装置内の全コンテンツ１１０に対する一のログテーブル２０２ｂを用意したが、コンテンツ１１０毎にログテーブル２０２ｂを用意してもよい。
【００３６】
（管理装置の機能的構成）
次に、図５を用いて管理装置１００の機能的構成例について説明する。
【００３７】
図５は、管理装置の機能的構成例を示すブロック図である。図５に示すように、管理装置１００は、指定部５０１と、検索部５０２と、変換部５０３と、送信部５０４と、登録部５０５と、受信部５０６と、格納部５０７と、検出部５０８を備える。
【００３８】
指定部５０１は、第１の管理装置内で第１の識別情報が付与されたコンテンツ１１０の送信先として第２の識別情報を使用する第２の管理装置を指定する機能を有する。ここで、第１の管理装置とは、自管理装置１００である。第２の管理装置とは、他の管理装置１００である。第１の識別情報とは、第１の管理装置での装置内ＩＤである。第２の識別情報とは、第２の管理装置での装置内ＩＤである。
【００３９】
また、指定部５０１は、格納部５０７によって記憶領域に格納されたコンテンツ１１０の送信先を指定する機能を有する。ここで、記憶領域とは、記憶装置２０２である。
【００４０】
具体的には、例えば、指定部５０１は、記憶装置２０２に保持されている装置内ＩＤ（第１の識別情報）の付与されたコンテンツ１１０や後述する格納部５０７により記憶装置２０２に保持されたコンテンツ１１０の送信先の管理装置１００（以下、「送信先装置」という）を指定する。また、送信先装置の指定は、例えば、管理装置１００のユーザが不図示の入力装置を用いて送信先装置を管理装置１００に入力することにより行う。
【００４１】
指定部５０１は、具体的には、例えば、図２に示した記憶装置２０２に記憶された管理プログラムをＣＰＵ２０１に実行させることにより、その機能を実現する。これにより、指定部５０１は、コンテンツ１１０の送信先を指定することができる。
【００４２】
検索部５０２は、指定部５０１によって第２の管理装置が指定された場合、第３の識別情報と第１の識別情報とを関連付けたテーブルを参照することにより、コンテンツ１１０に付与すべき識別情報を検索する機能を有する。ここで、第３の識別情報とは、第１の管理装置および第２の管理装置のいずれの管理装置でも使用されない識別情報であり、具体的には、例えば、上述した仮ＩＤである。第３の識別情報と第１の識別情報とを関連付けたテーブルとは、図３に示したＩＤ管理テーブル２０２ａである。コンテンツ１１０に付与すべき識別情報とは、送信されるコンテンツ１１０に付与すべき仮ＩＤ（第３の識別情報）である。
【００４３】
具体的には、例えば、検索部５０２は、送信されるコンテンツ１１０に付与された装置内ＩＤ（第１の識別情報）をＩＤ管理テーブル２０２ａから検索し、該装置内ＩＤ（第１の識別情報）に関連付けられた仮ＩＤ（第３の識別情報）を検索する。これにより、検索部５０２は、送信されるコンテンツ１１０に付与すべき仮ＩＤ（第３の識別情報）をＩＤ管理テーブル２０２ａから検索することができる。
【００４４】
また、検索部５０２は、第３の識別情報と第１の識別情報とを関連付けたテーブルを参照することにより、受信部５０６によって受信されたコンテンツ１１０に付与されている識別情報を検索する機能を有する。ここで、第３の識別情報と第１の識別情報とを関連付けたテーブルとは、図３に示したＩＤ管理テーブル２０２ａである。受信されたコンテンツ１１０に付与されている識別情報とは、仮ＩＤ（第３の識別情報）である。
【００４５】
検索部５０２は、具体的には、例えば、受信したコンテンツ１１０に付与された仮ＩＤ（第３の識別情報）をＩＤ管理テーブル２０２ａから検索する。これにより、変換部５０３が、検索部５０２によって検索された装置内ＩＤ（第１の識別情報）を用いて、コンテンツ１１０に付与されている識別情報を付け替えることができるようになる。
【００４６】
また、検索部５０２は、受信部５０６によって実行履歴要求が受信された場合、テーブルを参照することにより、第３の識別情報から第１の識別情報を検索する機能を有する。ここで、実行履歴要求とは、上述したログの送信要求（以下、「ログ要求」という）である。ログ要求には、ログ要求の対象となるコンテンツ１１０に対応付けられた仮ＩＤ（第３の識別情報）が付与されている。テーブルとは、ＩＤ管理テーブル２０２ａである。実行履歴情報とは、上述したログである。
【００４７】
そして、検索部５０２は、当該検索された第１の識別情報に関連付けられている第１の管理装置での実行履歴情報をデータベースから検索する機能を有する。ここで、データベースとは、ログテーブル２０２ｂである。
【００４８】
具体的には、例えば、検索部５０２は、ログ要求に付与された仮ＩＤ（第３の識別情報）に関連付けられた装置内ＩＤ（第１の識別情報）をＩＤ管理テーブル２０２ａから検索する。そして、検索部５０２は、検索した装置内ＩＤ（第１の識別情報）に関するログをログテーブル２０２ｂからさらに検索する。これにより、どのコンテンツ１１０に対してログ要求がされているかを検索することができ、該コンテンツ１１０に関するログを検索することができる。
【００４９】
ここで、検出部５０８によって、コンテンツ１１０が第４の識別情報を使用する第３の管理装置に送信されたことが検出されたとする。この場合、検索部５０２は、第１の管理装置および第３の管理装置のいずれの管理装置でも使用されない第５の識別情報と第３の識別情報とを関連付けたテーブルを参照することにより、実行履歴要求に付与されている識別情報を検索する機能を有する。
【００５０】
第３の管理装置とは、他の管理装置１００であって、ログ要求の要求元の管理装置１００以外の管理装置１００である。第４の識別情報とは、第３の管理装置での装置内ＩＤである。第５の識別情報とは、第１の管理装置と第３の管理装置間での仮ＩＤである。第５の識別情報と第３の識別情報とを関連付けたテーブルとは、ＩＤ管理テーブル２０２ａである。
【００５１】
具体的には、例えば、検索部５０２は、ログ要求の対象となるコンテンツ１１０が過去に他の管理装置１００に送信されていた場合に、ＩＤ管理テーブル２０２ａからログ要求に付与された仮ＩＤ（第３の識別情報）を検索する。次に、検索部５０２は、検索した該仮ＩＤ（第３の識別情報）に関連付けられた装置内ＩＤ（第１の識別情報）を検索する。そして、検索部５０２は、検索した該装置内ＩＤ（第１の識別情報）に関連付けられたコンテンツ１１０の送信先装置用の仮ＩＤ（第５の識別情報）を検索する。これにより、変換部５０３が、検索部５０２により検索された仮ＩＤ（第５の識別情報）を用いて、ログ要求に付与されている識別情報を付け替えることができるようになる。
【００５２】
検索部５０２は、具体的には、例えば、図２に示した記憶装置２０２に記憶された管理プログラムをＣＰＵ２０１に実行させることにより、その機能を実現する。
【００５３】
また、変換部５０３は、コンテンツ１１０に付与されている第１の識別情報を、検索部５０２によって検索された第３の識別情報に変換する機能を有する。ここで、テーブルとはＩＤ管理テーブル２０２ａである。具体的には、例えば、変換部５０３は、送信されるコンテンツ１１０に付与された装置内ＩＤ（第１の識別情報）を該装置内ＩＤ（第１の識別情報）に関連付けられた仮ＩＤ（第３の識別情報）に変換する。これにより、変換部５０３は、送信されるコンテンツ１１０には仮ＩＤ（第３の識別情報）を付与することができるので、装置内ＩＤ（第１の識別情報）を秘匿することができる。
【００５４】
変換部５０３は、検索部５０２によって第３の識別情報が検索された場合、コンテンツ１１０に付与されている識別情報を、第３の識別情報からテーブルにより第３の識別情報に関連付けされている第１の識別情報に変換する機能を有する。ここで、テーブルとはＩＤ管理テーブル２０２ａである。具体的には、例えば、変換部５０３は、受信したコンテンツ１１０に付与された仮ＩＤ（第３の識別情報）を該仮ＩＤ（第３の識別情報）に関連付けられた装置内ＩＤ（第１の識別情報）に変換する。
【００５５】
これにより、変換部５０３は、コンテンツ１１０を受信した際に、コンテンツ１１０に付与された仮ＩＤ（第３の識別情報）を装置内ＩＤ（第１の識別情報）に変換して、装置内ＩＤ（第１の識別情報）を用いてコンテンツ１１０を識別する。したがって、仮ＩＤ（第３の識別情報）が第三者に知られても装置内ＩＤ（第１の識別情報）は秘匿することができる。
【００５６】
変換部５０３は、検索部５０２によって第３の識別情報が検索された場合、実行履歴要求に付与されている識別情報を、第３の識別情報から第５の識別情報と第３の識別情報とを関連付けたテーブルにより第３の識別情報に関連付けされている第５の識別情報に変換する機能を有する。具体的には、例えば、変換部５０３は、ログ要求に付与された仮ＩＤ（第３の識別情報）をログ要求の転送先の管理装置１００と自装置との間での仮ＩＤ（第５の識別情報）に変換する。
【００５７】
これにより、変換部５０３は、ログ要求の要求元の管理装置１００と自装置との間での仮ＩＤ（第３の識別情報）とログ要求がされているコンテンツ１１０を過去に送信した送信先装置と自装置との間での仮ＩＤ（第５の識別情報）を変換することができる。そのため、ログ要求に付与された仮ＩＤ（第３の識別情報）を、ログ要求を転送する際に付与すべき送信先装置用の仮ＩＤ（第５の識別情報）に変換することができる。
【００５８】
変換部５０３は、具体的には、例えば、図２に示した記憶装置２０２に記憶された管理プログラムをＣＰＵ２０１に実行させることにより、その機能を実現する。
【００５９】
送信部５０４は、変換部５０３による変換により第３の識別情報が付与されたコンテンツ１１０を第２の管理装置に送信する機能を有する。具体的には、例えば、送信部５０４は、変換部５０３による変換により仮ＩＤ（第３の識別情報）が付与されたコンテンツ１１０を他の管理装置１００へ送信する。
【００６０】
送信部５０４は、検索部５０２によって検索された第１の管理装置での実行履歴情報を第２の管理装置に送信する機能を有する。具体的には、例えば、送信部５０４は、検索部５０２によって検索された自装置でのログをログ要求の要求元の管理装置１００に送信する。
【００６１】
また、送信部５０４は、変換部５０３による変換により第５の識別情報が付与された実行履歴要求を第３の管理装置へ送信する機能を有する。具体的には、例えば、送信部５０４は、変換部５０３による変換により仮ＩＤ（第５の識別情報）が付与されたログ要求を他の管理装置１００へ送信する。
【００６２】
そして、送信部５０４は、受信部５０６によって受信された第３の管理装置での実行履歴情報を第２の管理装置に送信する機能を有する。具体的には、例えば、送信部５０４は、受信部５０６によって受信された他の管理装置１００でのログを、ログ要求の要求元の管理装置１００に送信する。
【００６３】
送信部５０４は、具体的には、例えば、図２に示した記憶装置２０２に記憶された管理プログラムをＣＰＵ２０１に実行させることにより、およびＩ／Ｆ２０３により、その機能を実現する。これにより、管理装置１００は、コンテンツ１１０やログ要求やログを他の管理装置１００へ送信することができる。
【００６４】
登録部５０５は、指定部５０１によって第２の管理装置が指定された場合、第１の管理装置および第２の管理装置のいずれの管理装置でも使用されない第３の識別情報と第１の識別情報とを関連付けたテーブルを登録する機能を有する。また、登録部５０５は、受信部５０６によって受信されたコンテンツ１１０に付与されている識別情報に基づいて、第１の管理装置および第２の管理装置のいずれの管理装置でも使用されない第３の識別情報と第１の識別情報とを関連付けたテーブルを登録する機能を有する。ここで、第３の識別情報と第１の識別情報とを関連付けたテーブルとはＩＤ管理テーブル２０２ａである。
【００６５】
具体的には、例えば、登録部５０５は、受信部５０６によって、受信したコンテンツ１１０が初めて受信するコンテンツ１１０である場合、仮ＩＤ（第３の識別情報）と装置内ＩＤ（第１の識別情報）とを関連付けてＩＤ管理テーブル２０２ａに保持する。また、具体的には、例えば、登録部５０５は、指定部５０１によって、送信先を指定されたコンテンツ１１０が初めて送信先装置に送信されるコンテンツ１１０である場合、仮ＩＤ（第３の識別情報）と装置内ＩＤ（第１の識別情報）とを関連付けてＩＤ管理テーブル２０２ａに保持する。
【００６６】
これにより、登録部５０５は、コンテンツ１１０の送信時または受信時に、ＩＤ管理テーブル２０２ａに装置内ＩＤ（第１の識別情報）と仮ＩＤ（第３の識別情報）とが関連付けて保持されていない場合に、装置内ＩＤ（第１の識別情報）と仮ＩＤ（第３の識別情報）とを作成してＩＤ管理テーブル２０２ａに保持することができる。
【００６７】
また、登録部５０５は、第１の識別情報が付与されたコンテンツ１１０の第１の管理装置での実行履歴情報を、第１の識別情報に関連付けてデータベースに登録する機能を有する。ここで、データベースとは、ログテーブル２０２ｂである。登録部５０５は、具体的には、例えば、上述したログと装置内ＩＤ（第１の識別情報）を関連付けてログテーブル２０２ｂに保持する。これにより、登録部５０５は、ログを装置内ＩＤ（第１の識別情報）と関連付けておくことができる。
【００６８】
登録部５０５は、具体的には、例えば、図２に示した記憶装置２０２に記憶された管理プログラムをＣＰＵ２０１に実行させることにより、その機能を実現する。
【００６９】
受信部５０６は、第１の識別情報を使用する第１の管理装置へのコンテンツ１１０を第２の識別情報を使用する第２の管理装置から受信する機能を有する。具体的には、例えば、受信部５０６は、他の管理装置１００から送信されたコンテンツ１１０を受信する。また、受信部５０６は、送信部５０４によって第２の管理装置に送信されたコンテンツ１１０を第２の管理装置から受信する機能を有する。具体的には、例えば、受信部５０６は、他の管理装置１００にコンテンツ１１０を送信した場合に、該他の管理装置１００から返送されたコンテンツ１１０を受信する。
【００７０】
受信部５０６は、第１の管理装置から第３の識別情報が付与されたコンテンツ１１０の実行履歴要求を受信する機能を有する。具体的には、例えば、受信部５０６は、他の管理装置１００から送信されたログ要求を受信する。また、受信部５０６は、第３の管理装置から第３の管理装置での実行履歴情報を受信する機能を有する。具体的には、例えば、受信部５０６は、他の管理装置１００から送信されたログを受信する。
【００７１】
受信部５０６は、具体的には、例えば、図２に示した記憶装置２０２に記憶された管理プログラムをＣＰＵ２０１に実行させることにより、およびＩ／Ｆ２０３により、その機能を実現する。これにより、受信部５０６は、他の管理装置１００から自装置へ送信されたコンテンツ１１０やログ要求やログを受信することができる。
【００７２】
格納部５０７は、受信部５０６によって受信されたコンテンツ１１０を第１の管理装置内の記憶領域に格納する機能を有する。具体的には、例えば、格納部５０７は、受信されたコンテンツ１１０を記憶装置２０２に保持する。また、格納部５０７は、変換部５０３による変換により第１の識別情報が付与されたコンテンツ１１０を第１の管理装置内の記憶領域に格納する機能を有する。具体的には、例えば、格納部５０７は、変換部５０３による変換により装置内ＩＤ（第１の識別情報）が付与されたコンテンツ１１０を記憶装置２０２に保持する。
【００７３】
格納部５０７は、具体的には、例えば、図２に示した記憶装置２０２に記憶された管理プログラムをＣＰＵ２０１に実行させることにより、その機能を実現する。これにより、格納部５０７は、受信したコンテンツ１１０または受信したコンテンツ１１０に付与されている仮ＩＤ（第３の識別情報）を装置内ＩＤ（第１の識別情報）に変換したコンテンツ１１０を記憶装置２０２に保持することができる。
【００７４】
検出部５０８は、検索部５０２により検索された第１の管理装置での実行履歴情報から、コンテンツ１１０の送信先を検出する機能を有する。具体的には、検出部５０８は、ログテーブル２０２ｂから、コンテンツ１１０を送信したという操作種別項目があるかを調べ、かかる操作種別項目があればコンテンツ１１０の送信先を調べる。
【００７５】
検出部５０８は、具体的には、例えば、図２に示した記憶装置２０２に記憶された管理プログラムをＣＰＵ２０１に実行させることにより、その機能を実現する。これにより、検出部５０８は、コンテンツ１１０を過去にどの管理装置に送信したかを検出できる。
【００７６】
（実施例１）
実施例１は、２つの企業の管理装置１００間でコンテンツ１１０を対応付ける実施例である。
【００７７】
ここで、実施例１にかかる管理装置１００によるコンテンツ受信処理とコンテンツ送信処理について説明する。
【００７８】
図６は、実施例１にかかるコンテンツ受信処理とコンテンツ送信処理の具体例を示す説明図である。ここで、企業１は装置内ＩＤが付与されたコンテンツ１１０を企業２に送信して、送信した該コンテンツ１１０を企業２の管理装置１０２から返送してもらう例を挙げる。
【００７９】
（１）管理装置１０１は、送信するコンテンツ１１０に付与された装置内ＩＤ「１２３」に関連付けられた仮ＩＤをＩＤ管理テーブル２０２ａから検索する。ここで、管理装置１０１のＩＤ管理テーブル２０２ａに、送信するコンテンツ１１０に付与された装置内ＩＤ「１２３」に関連付けられた仮ＩＤ「ａｂｃ」が保持されていない。そのため、管理装置１０１は、新たに装置内ＩＤ「１２３」に関連付けた仮ＩＤ「ａｂｃ」をＩＤ管理テーブル２０２ａに保持する。そして、管理装置１０１は、コンテンツ１１０に付与された装置内ＩＤ「１２３」を、ＩＤ管理テーブル２０２ａに保持された仮ＩＤ「ａｂｃ」に変換して管理装置１０２に送信する。
【００８０】
（２）管理装置１０２は、受信したコンテンツ１１０に付与された仮ＩＤ「ａｂｃ」に関連付けられた装置内ＩＤをＩＤ管理テーブル２０２ａから検索する。ここで、管理装置１０２のＩＤ管理テーブル２０２ａに、受信したコンテンツ１１０に付与された仮ＩＤ「ａｂｃ」に関連付けられた装置内ＩＤ「ＸＹＺ」が保持されていない。そのため、管理装置１０２は、新たに仮ＩＤ「ａｂｃ」に関連付けた装置内ＩＤ「ＸＹＺ」をＩＤ管理テーブル２０２ａに保持する。そして、管理装置１０２は、受信したコンテンツ１１０に付与された仮ＩＤ「ａｂｃ」を、ＩＤ管理テーブル２０２ａに保持した該装置内ＩＤ「ＸＹＺ」に変換して、変換後のコンテンツ１１０を記憶装置２０２に保持する。
【００８１】
（３）そして管理装置１０２は、記憶装置２０２に保持したコンテンツ１１０を管理装置１０１に送信する。管理装置１０２は、送信するコンテンツ１１０に付与された装置内ＩＤ「ＸＹＺ」に関連付けられた仮ＩＤをＩＤ管理テーブル２０２ａから検索する。ここで、管理装置１０２のＩＤ管理テーブル２０２ａに、送信するコンテンツ１１０に付与された装置内ＩＤ「ＸＹＺ」に関連付けられた仮ＩＤ「ａｂｃ」が保持されているため、管理装置１０２によって該仮ＩＤ「ａｂｃ」が検索される。そして、管理装置１０２は、コンテンツ１１０に付与された装置内ＩＤ「ＸＹＺ」を、検索された仮ＩＤ「ａｂｃ」に変換して管理装置１０１に送信する。
【００８２】
（４）管理装置１０１は、受信したコンテンツ１１０に付与された仮ＩＤ「ａｂｃ」に関連付けられた装置内ＩＤをＩＤ管理テーブル２０２ａから検索する。ここで、管理装置１０１のＩＤ管理テーブル２０２ａに、受信したコンテンツ１１０に付与された仮ＩＤ「ａｂｃ」に関連付けられた装置内ＩＤ「１２３」が保持されているため、管理装置１０１によって該装置内ＩＤ「１２３」が検索される。そして、管理装置１０１は、受信したコンテンツ１１０に付与された仮ＩＤ「ａｂｃ」を、検索された装置内ＩＤ「１２３」に変換して、変換後のコンテンツ１１０を記憶装置２０２に保持する。
【００８３】
このように、管理装置１００は、コンテンツ１１０に付与されている装置内ＩＤを仮ＩＤに変換してから送信することができるため、装置内ＩＤが外部に流出することを防止できる。また、外部からは、仮ＩＤに関連付けられた装置内ＩＤを知ることはできないため、管理装置１００は、自身の管理テーブル２０２ａを秘匿する限り、装置内ＩＤを秘匿することができる。例えば、管理装置１０１のＩＤ管理テーブル２０２ａが外部に流出し管理装置１０１の仮ＩＤ「ａｂｃ」、「１２３」が漏洩したとしても、管理装置１０２の装置内ＩＤ「ＸＹＺ」は秘匿し続けられる。
【００８４】
（実施例１にかかる管理装置１００によるコンテンツ送信処理）
図７は、実施例１にかかるコンテンツ送信処理の詳細を示すフローチャートである。ここで、管理装置１００は、記憶装置２０２に保持されたコンテンツ１１０を他の管理装置１００に送信するとする。
【００８５】
まず、ＣＰＵ２０１は、送信するコンテンツ１１０に付与されている装置内ＩＤに関連付けられた仮ＩＤのうち、送信先装置用の仮ＩＤがＩＤ管理テーブル２０２ａに保持されているか否か判定する（ステップＳ７０１）。送信先装置用の仮ＩＤがＩＤ管理テーブル２０２ａに保持されている場合（ステップＳ７０１：Ｙｅｓ）、ステップＳ７０３に進む。
【００８６】
送信先装置用の仮ＩＤがＩＤ管理テーブル２０２ａに保持されていない場合（ステップＳ７０１：Ｎｏ）、ＣＰＵ２０１は、装置内ＩＤに関連付けた連携先企業の管理装置１００（以下、「連携先装置」という）用の仮ＩＤを新たに作成し、作成した装置内ＩＤと仮ＩＤとをＩＤ管理テーブル２０２ａに保持する（ステップＳ７０２）。そして、ステップＳ７０３に進む。
【００８７】
次に、ＣＰＵ２０１は、ＩＤ管理テーブル２０２ａに基づいて、送信するコンテンツ１１０に付与されている装置内ＩＤを、装置内ＩＤに関連付けられている仮ＩＤのうち、送信先装置用の仮ＩＤに変換する（ステップＳ７０３）。そして、ＣＰＵ２０１は、装置内ＩＤを仮ＩＤに変換したコンテンツ１１０を送信先装置に送信して（ステップＳ７０４）、コンテンツ送信処理を終了する。
【００８８】
これにより、ＣＰＵ２０１は、コンテンツ１１０に付与されている装置内ＩＤを仮ＩＤに変換してから送信することができるため、装置内ＩＤが外部に流出することを防止できる。なお、ＣＰＵ２０１は、初めて送信先装置に送信するコンテンツ１１０であることを送信先装置に通知してもよい。
【００８９】
（実施例１にかかる管理装置１００によるコンテンツ受信処理）
次に、図８を用いて、実施例１にかかる管理装置１００によるコンテンツ受信処理について説明する。
【００９０】
図８は、実施例１にかかるコンテンツ受信処理の詳細を示すフローチャートである。ここで、管理装置１００は、他の管理装置１００から仮ＩＤの付与されたコンテンツ１１０を受信するとする。
【００９１】
まず、ＣＰＵ２０１は、コンテンツ１１０を受信したか否か判定する（ステップＳ８０１）。コンテンツ１１０を受信していない場合（ステップＳ８０１：Ｎｏ）、ステップＳ８０１に戻る。コンテンツ１１０を受信した場合（ステップＳ８０１：Ｙｅｓ）、ステップＳ８０２に進む。
【００９２】
次に、ＣＰＵ２０１は、受信したコンテンツ１１０に付与されている仮ＩＤがＩＤ管理テーブル２０２ａに保持されているか否か判定する（ステップＳ８０２）。なお、ＣＰＵ２０１は、受信したコンテンツ１１０が管理装置１００へ初めて送信されたコンテンツ１１０であることを送信元装置から通知されている場合は、ステップＳ８０２の処理を行わず、ステップＳ８０３に進んでもよい。
【００９３】
仮ＩＤがＩＤ管理テーブル２０２ａに保持されている場合（ステップＳ８０２：Ｙｅｓ）、ステップＳ８０４に進む。仮ＩＤがＩＤ管理テーブル２０２ａに保持されていない場合（ステップＳ８０２：Ｎｏ）、ＣＰＵ２０１は、仮ＩＤに関連付けた装置内ＩＤを新たに作成し、作成した装置内ＩＤと仮ＩＤとをＩＤ管理テーブル２０２ａに保持する（ステップＳ８０３）。そして、ステップＳ８０４に進む。
【００９４】
ＣＰＵ２０１は、ＩＤ管理テーブル２０２ａに基づいて、受信したコンテンツ１１０に付与されている仮ＩＤを、仮ＩＤに関連付けられている装置内ＩＤに変換する（ステップＳ８０４）。そして、ＣＰＵ２０１は、仮ＩＤを装置内ＩＤに変換されたコンテンツ１１０を記憶装置２０２に保持して（ステップＳ８０５）、コンテンツ受信処理を終了する。
【００９５】
これにより、管理装置１００は、受信したコンテンツ１１０に付与された仮ＩＤを装置内ＩＤに変換することができる。外部からは、仮ＩＤに関連付けられた装置内ＩＤを知ることはできないため、管理装置１００は、装置内ＩＤを秘匿することができる。
【００９６】
次に、図９，１０を用いて、実施例１にかかる管理装置１００によるコンテンツ１１０のログ出力処理とログ送信処理について説明する。ここでは、図６で示した管理装置１０１が管理装置１０２に対して、仮ＩＤ「ａｂｃ」に対応するコンテンツに関するログ要求を行った場合を例に挙げる。
【００９７】
ここで、管理装置１０１は、装置内ＩＤ「１２３」に対応するコンテンツ１１０が連携先企業においてどのように処理されたかを調べるためログを収集する。また、管理装置１０１のＩＤ管理テーブル２０２ａには、仮ＩＤ「ａｂｃ」と関連付けて装置内ＩＤ「１２３」が保持されているとする。
【００９８】
まず、管理装置１０１は、装置内ＩＤ「１２３」に対応するコンテンツ１１０にかかるログを収集する。そのため、管理装置１０１は、管理装置１０２に装置内ＩＤ「１２３」に関連付けられている仮ＩＤ「ａｂｃ」を付与したログ要求を送信する。管理装置１０２は、ログ要求を受信すると、管理装置１０１に対してログ送信処理を行う。
【００９９】
図９は、実施例１にかかるログ送信処理の具体例を示す説明図である。ここで、管理装置１０２は、仮ＩＤ「ａｂｃ」が付与されたログ要求を受信する。また、管理装置１０２のＩＤ管理テーブル２０２ａには、仮ＩＤ「ａｂｃ」と関連付けて装置内ＩＤ「ＸＹＺ」が保持されている。
【０１００】
ここで、管理装置１０２には、（Ａ）に示すようなログテーブル２０２ｂが保持されていたとする。管理装置１０２は、このログテーブル２０２ｂからログ要求に付与された仮ＩＤ「ａｂｃ」に関連付けられている装置内ＩＤ「ＸＹＺ」に関するログを収集し、（Ｂ）に示すような収集したログ（以下、「送信前ログ」という）を作成する。そして、管理装置１０２は、送信前ログに含まれる装置内ＩＤを装置内ＩＤ「ＸＹＺ」に関連付けられている仮ＩＤ「ａｂｃ」に変換して、（Ｃ）に示すような変換したログ（以下、「送信用ログ」という）を作成する。そして、管理装置１０２は、送信用ログをログ要求の要求元の管理装置１００である管理装置１０１に送信する。
【０１０１】
このように、管理装置１０２は、ログ要求に付与された仮ＩＤ「ａｂｃ」に関連付けられている装置内ＩＤ「ＸＹＺ」に関するログを収集することができる。そして、送信用ログには、装置内ＩＤは含まれていないため、管理装置１０２は、装置内ＩＤを秘匿することができる。
【０１０２】
図１０は、実施例１にかかるログ出力処理の具体例を示す説明図である。まず、管理装置１０１は、ログ要求の送信先の管理装置１０２から送信された送信用ログを受信する。次に、管理装置１０１は、受信したログ（以下、「連携先ログ」という）に含まれる仮ＩＤを装置内ＩＤに変換し、（Ａ）に示すような変換したログ（以下、「変換ログ」という）を作成する。
【０１０３】
また、管理装置１０１には、（Ｂ）に示すようなログテーブル２０２ｂが保持されているとする。管理装置１０１は、このログテーブル２０２ｂから装置内ＩＤ「１２３」に関するログのみを収集し、変換ログと統合して、（Ｃ）に示すような統合したログ（以下「統合ログ」という）を作成する。そして、管理装置１０１は、統合ログをディスプレイ２０４に出力する。
【０１０４】
この統合ログによって、装置内ＩＤ「１２３」に対応するコンテンツ１１０は、まず管理装置１０１から管理装置１０２に送信され、管理装置１０２によって該コンテンツ１１０は処理され、処理後のコンテンツ１１０が管理装置１０２から管理装置１０１へ送信されたことがわかる。このように、管理装置１００は、仮ＩＤを用いてコンテンツ１１０を対応させ、コンテンツ１１０に関する処理を他の管理装置１００に実行させることができる。また、他の管理装置１００は、ログに装置内ＩＤが含まれる場合は、ログの装置内ＩＤを該装置内ＩＤに関連付けられた仮ＩＤに変換してから送信することで、装置内ＩＤを秘匿することができる。
【０１０５】
（実施例１にかかる管理装置１００によるコンテンツ１１０のログ出力処理）
次に、実施例１にかかる管理装置１００によるコンテンツ１１０のログ出力処理の詳細について説明する。
【０１０６】
図１１は、実施例１にかかるコンテンツ１１０のログ出力処理の詳細を示すフローチャートである。ここでは、管理装置１００は、任意の装置内ＩＤに対応するコンテンツ１１０が、連携先企業においてどのように処理されたかを調べるため、連携先装置が保持するログを収集する。
【０１０７】
まず、ＣＰＵ２０１は、連携先装置にログ要求を送信する（ステップＳ１１０１）。ここでログ要求には、ログを収集したいコンテンツ１１０に対応付けられた仮ＩＤが付与されている。
【０１０８】
次に、ＣＰＵ２０１は、連携先装置からログを受信したか否か判定する（ステップＳ１１０２）。ログを受信していない場合（ステップＳ１１０２：Ｎｏ）、ステップＳ１１０２に戻る。ログを受信した場合（ステップＳ１１０２：Ｙｅｓ）、ＣＰＵ２０１は、ＩＤ管理テーブル２０２ａに基づいて、連携先装置から受信した連携先ログに含まれる仮ＩＤを装置内ＩＤに変換した変換ログを作成し、変換ログを記憶装置２０２に保持する（ステップＳ１１０３）。
【０１０９】
そして、ＣＰＵ２０１は、装置内ＩＤに対応するコンテンツ１１０の自装置内でのログ（以下「装置内ログ」という）を収集する（ステップＳ１１０４）。次に、ＣＰＵ２０１は、変換ログと装置内ログとを統合した統合ログを作成し、統合ログを記憶装置２０２に保持する（ステップＳ１１０５）。
【０１１０】
そして、ＣＰＵ２０１は、記憶装置２０２に保持されている統合ログをディスプレイ２０４に出力して（ステップＳ１１０６）、コンテンツ１１０のログ出力処理を終了する。このように、連携先装置の装置内ＩＤを知らずとも、仮ＩＤを用いることで、管理装置１００は、自装置が送信したコンテンツ１１０が連携先装置においてどのように処理されたかの情報を収集することができる。
【０１１１】
（実施例１にかかる管理装置１００によるコンテンツ１１０のログ送信処理）
次に、実施例１にかかる管理装置１００によるコンテンツ１１０のログ送信処理の詳細について説明する。
【０１１２】
図１２は、実施例１にかかるコンテンツ１１０のログ送信処理の詳細を示すフローチャートである。まず、ＣＰＵ２０１は、ログ要求を受信したか否か判定する（ステップＳ１２０１）。ログ要求を受信していない場合（ステップＳ１２０１：Ｎｏ）、ステップＳ１２０１に戻る。
【０１１３】
ログ要求を受信した場合（ステップＳ１２０１：Ｙｅｓ）、ＣＰＵ２０１は、ＩＤ管理テーブル２０２ａに基づいて、ログ要求に付与された仮ＩＤに対応する装置内ＩＤを検索する。ＣＰＵ２０１は、ログテーブル２０２ｂから検索した装置内ＩＤに関するログを収集し、収集した送信前ログを記憶装置２０２に保持する（ステップＳ１２０２）。
【０１１４】
次に、ＣＰＵ２０１は、送信前ログに含まれる装置内ＩＤを仮ＩＤに変換した送信用ログを作成し、送信用ログを記憶装置２０２に保持する（ステップＳ１２０３）。そして、記憶装置２０２に保持された送信用ログをログ要求の要求元の管理装置１００に送信し（ステップＳ１２０４）、コンテンツ送信処理を終了する。
【０１１５】
これにより、ＣＰＵ２０１は、ログ要求に付与されている仮ＩＤに関連付けられた装置内ＩＤに対応するコンテンツ１１０のログを収集することができる。また、収集したログに含まれる装置内ＩＤを仮ＩＤに変換して、変換したログをログ要求の要求元の管理装置１００に送信することができるため、装置内ＩＤが外部に流出することを防止できる。
【０１１６】
なお、コンテンツ１１０の送信側管理装置が、自装置内でコンテンツ１１０を識別する装置内ＩＤと受信側管理装置が使用する装置内ＩＤとを発行し、各ＩＤを発行した送信側管理装置が各ＩＤを関連付けて保持し、コンテンツ１１０を対応付ける場合もある。この際、送信されるコンテンツ１１０には、受信側管理装置の装置内ＩＤが付与されることになり、送信側管理装置の装置内ＩＤは外部に流出しないため、秘匿し続けることができる。
【０１１７】
ところが、この受信側管理装置は自身の装置内ＩＤを送信側管理装置に保持されているため、送信側管理装置が、各ＩＤの対応関係やコンテンツを漏洩させてしまった場合、受信側管理装置の装置内ＩＤが外部に流出してしまう。そのため、該ＩＤと流出したコンテンツの内容から、受信側管理装置の所有企業名や個人情報を不正入手されてしまう。
【０１１８】
一方、上述した実施例１では、コンテンツ１１０を受信した管理装置１００は、受信したコンテンツ１１０に付与されている仮ＩＤを自装置の装置内ＩＤに変換して、変換した装置内ＩＤを用いてコンテンツ１１０を識別する。したがって、たとえ連携先装置のＩＤ管理テーブル２０２ａが漏洩しても、コンテンツ１１０を受信した管理装置１００は、自身の仮ＩＤと装置内ＩＤの関連付けにかかるテーブルを秘匿する限り、外部に装置内ＩＤを把握されることはない。そのため、コンテンツ１１０を受信した管理装置１００も装置内ＩＤを秘匿することができ情報を盗用されない。
【０１１９】
また、管理装置１００は、他の管理装置１００が使用する装置内ＩＤを知らずとも、仮ＩＤを介してコンテンツ１１０を対応付けることができる。そのため、管理装置１００は、仮ＩＤを指定して所定の処理をするよう他の管理装置１００に要求すれば、他の管理装置１００に預けたコンテンツ１１０が複数あっても、複数のコンテンツ１１０のうちの一のコンテンツ１１０を特定して所定の処理をするよう指示することができる。所定の処理とは、例えば、コンテンツ１１０の送受信、編集、削除である。
【０１２０】
また、従来では、他の管理装置１００が発行したＩＤを自装置の装置内ＩＤとして使用する場合、他の管理装置１００が発行したＩＤが自装置の装置内ＩＤと重複し、ＩＤの一意性が保てない場合があった。一方、上述した実施例１では、自装置内で一意性が保たれれば、他の管理装置１００とＩＤの整合性を取る必要がないため、上述したようなＩＤの重複が生じないこととなる。
【０１２１】
（実施例２）
実施例１は、２つの企業の管理装置１００間でコンテンツ１１０を対応付ける実施例であった。これに対し、実施例２は、４つの企業の管理装置１００間でコンテンツ１１０を対応付ける実施例であり、管理装置１００を経由して間接的にコンテンツ１１０が送信された場合の実施例である。
【０１２２】
図１３〜１６を用いて実施例２について説明する。ここで、実施例２にかかる管理装置１００のコンテンツ送信処理とコンテンツ受信処理とログ出力処理は図７，８，１１を用いて上述したコンテンツ送信処理とコンテンツ受信処理とログ出力処理と同様の処理であるため詳細な説明を省略する。
【０１２３】
図１３は、実施例２にかかるコンテンツ受信処理とコンテンツ送信処理の具体例を示す説明図である。ここで、企業１〜４がそれぞれの管理装置１００を連携させているとする。企業１の管理装置１００を管理装置１０１、企業２の管理装置１００を管理装置１０２、企業３の管理装置１００を管理装置１０３、企業４の管理装置１００を管理装置１０４とする。
【０１２４】
（Ａ）に示すように、管理装置１０１が管理装置１０２と管理装置１０３にそれぞれコンテンツ１１０を送信し、管理装置１０３は、管理装置１０１から受信したコンテンツ１１０を、さらに管理装置１０４に送信したとする。この場合、（Ｂ）に示すように、各管理装置は、連携先装置毎にコンテンツ１１０に付与された装置内ＩＤと仮ＩＤが関連付けられたＩＤ管理テーブル２０２ａを保持する。
【０１２５】
具体的には、管理装置１０１では、コンテンツ送信先の管理装置１０２に対しては、装置内ＩＤ「１２３」に関連付けて仮ＩＤ「ａｂｃ」がＩＤ管理テーブル２０２ａに保持される。また、管理装置１０１では、コンテンツ送信先の管理装置１０３に対しては、装置内ＩＤ「１２３」に関連付けて仮ＩＤ「ｄｅｆ」がＩＤ管理テーブル２０２ａに保持される。そして、管理装置１０１はそれぞれの仮ＩＤを付与したコンテンツ１１０をそれぞれの管理装置１００へ送信する。
【０１２６】
管理装置１０２では、管理装置１０１から受信したコンテンツ１１０に付与された仮ＩＤ「ａｂｃ」に関連付けて装置内ＩＤ「ＸＹＺ」がＩＤ管理テーブル２０２ａに保持される。管理装置１０２は、自装置内では装置内ＩＤ「ＸＹＺ」を用いて受信したコンテンツ１１０を識別する。
【０１２７】
管理装置１０３では、管理装置１０１から受信したコンテンツ１１０に付与された仮ＩＤ「ｄｅｆ」に関連付けて装置内ＩＤ「Ｐ０３」がＩＤ管理テーブル２０２ａに保持される。管理装置１０３は、自装置内では装置内ＩＤ「Ｐ０３」を用いて受信したコンテンツ１１０を識別する。また、管理装置１０３では、コンテンツ送信先の管理装置１０４に対しては、装置内ＩＤ「Ｐ０３」に関連付けて仮ＩＤ「ｇｈｉ」がＩＤ管理テーブル２０２ａに保持される。そして、管理装置１０３は仮ＩＤ「ｇｈｉ」を付与したコンテンツ１１０を管理装置１０４へ送信する。
【０１２８】
管理装置１０４では、管理装置１０３から受信したコンテンツ１１０に付与された仮ＩＤ「ｇｈｉ」に関連付けて装置内ＩＤ「ＺＺ１」がＩＤ管理テーブル２０２ａに保持される。管理装置１０４は、自装置内では装置内ＩＤ「ＺＺ１」を用いて受信したコンテンツ１１０を識別する。
【０１２９】
このように、各管理装置１００は装置内ＩＤと仮ＩＤをＩＤ管理テーブル２０２ａに保持する。そして、仮ＩＤによって、各管理装置１００のコンテンツ１１０は対応付けられる。管理装置１０１と管理装置１０４のコンテンツ１１０は仮ＩＤによって直接対応付けられてはいないが、管理装置１０３を介して間接的に対応付けることができる。
【０１３０】
そのため、管理装置１００は、仮ＩＤを指定して所定の処理をするよう他の管理装置１００に要求すれば、該仮ＩＤに対応する他の管理装置１００におけるコンテンツ１１０を特定して所定の処理をさせることができる。所定の処理とは、例えば、コンテンツ１１０の編集、解析、送受信である。
【０１３１】
次に、図１４，１５を用いて実施例２にかかるログ出力処理とログ送信処理の具体例について説明する。ここでは、図１３に示した管理装置１０１が、装置内ＩＤ「１２３」に対応するコンテンツ１１０が連携先装置においてどのように処理されたかを調べるためにログを収集するとする。管理装置１０１は、装置内ＩＤ「１２３」に関連付けられた仮ＩＤ「ａｂｃ」を付与したログ要求を、連携先装置である管理装置１０２と管理装置１０３に送信する。
【０１３２】
図１４は、実施例２にかかる送信用ログの具体例を示す説明図である。ここで、ログ要求を受信した管理装置１０２は、ログ要求に付与された仮ＩＤ「ａｂｃ」に関連付けられている装置内ＩＤ「ＸＹＺ」に関するログを収集し、送信前ログを作成する。次に、管理装置１０２は、送信前ログに含まれる装置内ＩＤ「ＸＹＺ」を仮ＩＤ「ａｂｃ」に変換して、（Ａ）に示すような送信用ログを作成する。そして、管理装置１０２は、作成した送信用ログを管理装置１０１に送信する。
【０１３３】
また、ログ要求を受信した管理装置１０３は、ログ要求に付与された仮ＩＤ「ａｂｃ」に関連付けられている装置内ＩＤ「Ｐ０３」に関するログを収集し、送信前ログを作成する。次に、管理装置１０３は、送信前ログに含まれる装置内ＩＤ「Ｐ０３」を仮ＩＤ「ａｂｃ」に変換して、（Ｂ）に示すような送信用ログを作成する。そして、管理装置１０３は、作成した送信用ログを管理装置１０１に送信する。
【０１３４】
また、管理装置１０３は、送信用ログの操作種別項目に管理装置１０４へコンテンツ１１０を送信したという情報が存在するため、管理装置１０４へログ要求を送信する。具体的には、ログ要求に付与された管理装置１０１と管理装置１０３の間での仮ＩＤ「ａｂｃ」を、管理装置１０３と管理装置１０４用の間での仮ＩＤ「ｇｈｉ」に変換し、変換したログ要求を管理装置１０４に送信する。
【０１３５】
管理装置１０３からログ要求を受信した管理装置１０４は、ログ要求に付与された仮ＩＤ「ｇｈｉ」に関連付けられている装置内ＩＤ「ＺＺ１」に関するログを収集し、送信前ログを作成する。次に、管理装置１０４は、送信前ログに含まれる装置内ＩＤ「ＺＺ１」を仮ＩＤ「ｇｈｉ」に変換して、（Ｃ）に示すような送信用ログを作成する。そして、送信用ログを管理装置１０３に送信する。管理装置１０４から送信用ログを受信した管理装置１０３は、送信用ログに含まれる仮ＩＤ「ｇｈｉ」を仮ＩＤ「ａｂｃ」に変換して、管理装置１０１に送信する。このように、管理装置１０２〜１０４から送信用ログが管理装置１０１に送信される。
【０１３６】
図１５は、実施例２にかかる統合ログを示す説明図である。ここで、管理装置１０１は、管理装置１０２，１０３から連携先ログを受信し、管理装置１０４から管理装置１０３を介して連携先ログを受信する。なお、連携先ログとは、上述した管理装置１０２〜１０４の送信用ログである。次に、管理装置１０１は、受信した連携先ログに含まれる仮ＩＤ「ａｂｃ」を装置内ＩＤ「１２３」に変換する。また、管理装置１０１は、自装置のログテーブル２０２ｂのログから装置内ＩＤ「１２３」に関するログを収集し、（Ａ）に示すような装置内ログを作成する。そして、管理装置１０１は、変換ログと装置内ログを統合して（Ｂ）に示すような統合ログを作成する。管理装置１０１は、統合ログをディスプレイ２０４に出力する。
【０１３７】
この統合ログによって、装置内ＩＤ「１２３」に対応するコンテンツ１１０が、管理装置１０１から管理装置１０２に送信されたこと、および、管理装置１０１から管理装置１０３を経由して管理装置１０４へ送信されたことがわかる。このように、管理装置１００は、仮ＩＤを用いてコンテンツ１１０を対応させ、任意のコンテンツ１１０に関する処理を他の管理装置１００に実行させることができる。また、処理を行った管理装置１００は、ログに装置内ＩＤが含まれる場合は、ログに含まれる装置内ＩＤを仮ＩＤに変換してから送信することで、装置内ＩＤを秘匿することができる。
【０１３８】
（実施例２にかかる管理装置１００によるコンテンツ１１０のログ送信処理）
次に、実施例２にかかる管理装置１００によるコンテンツ１１０のログ送信処理の詳細について説明する。
【０１３９】
図１６は実施例２にかかるログ送信処理の詳細を示すフローチャートである。ここで、ステップＳ１６０１〜ステップＳ１６０４は、図１２を用いて上述したコンテンツ１１０のログ送信処理のステップＳ１２０１〜ステップＳ１２０４と同様の処理であるため詳細な説明を省略する。
【０１４０】
ステップＳ１６０４の終了後、ＣＰＵ２０１は、送信用ログの操作種別項目にログ要求の要求元の管理装置１００以外の管理装置１００へコンテンツ１１０を送信したという情報が存在するか判定する（ステップＳ１６０５）。情報が存在しない場合（ステップＳ１６０５：Ｎｏ）、コンテンツ送信処理を終了する。
【０１４１】
情報が存在する場合（ステップＳ１６０５：Ｙｅｓ）、ＣＰＵ２０１は、該ログ要求の要求元の管理装置１００以外の管理装置１００用の仮ＩＤを検索し、受信したログ要求に付与されている仮ＩＤを該ログ要求の要求元の管理装置１００以外の管理装置１００用の仮ＩＤに変換する。そして、ＣＰＵ２０１は、変換したログ要求を該ログ要求の要求元の管理装置１００以外の管理装置１００へ送信する（ステップＳ１６０６）。
【０１４２】
次に、ＣＰＵ２０１は、該ログ要求の要求元の管理装置１００以外の管理装置１００からログを受信したか否か判定する（ステップＳ１６０７）。ログを受信していない場合（ステップＳ１６０７：Ｎｏ）、ステップＳ１６０７に戻る。
【０１４３】
ログを受信した場合（ステップＳ１６０７：Ｙｅｓ）、ＣＰＵ２０１は、該ログに含まれるログ要求の要求元の管理装置１００以外の管理装置１００用の仮ＩＤをログ要求の要求元の管理装置１００用の仮ＩＤに変換したログを作成し、変換後のログを記憶装置２０２に保持する（ステップＳ１６０８）。
【０１４４】
そして、ＣＰＵ２０１は、記憶装置２０２に保持された変換後のログをログ要求の要求元の管理装置１００に送信して（ステップＳ１６０９）、コンテンツ送信処理を終了する。
【０１４５】
これにより、ＣＰＵ２０１は、ログ要求に付与されている仮ＩＤに関連付けられた装置内ＩＤに対応するコンテンツ１１０のログを収集することができる。また、ＣＰＵ２０１は、ログ要求されているコンテンツ１１０が、該ログ要求の要求元の管理装置１００以外の管理装置１００に送信されていた場合は、該装置用の仮ＩＤを付与してログ要求を転送するため、該装置でのログを収集することができる。また、収集したログに含まれる装置内ＩＤを仮ＩＤに変換して、変換したログをログ要求の要求元の管理装置１００に送信することができるため、装置内ＩＤが外部に流出することを防止できる。
【０１４６】
なお、コンテンツ１１０の送信側管理装置が、自装置内でコンテンツ１１０を識別する装置内ＩＤと受信側管理装置が使用する装置内ＩＤとを発行し、各ＩＤを発行した送信側管理装置が各ＩＤを関連付けて保持し、コンテンツ１１０を対応付ける場合もある。この際、送信されるコンテンツ１１０には、受信側管理装置の装置内ＩＤが付与されることになり、送信側管理装置の装置内ＩＤは外部に流出しないため、秘匿し続けることができる。
【０１４７】
ところが、この受信側管理装置は自身の装置内ＩＤを送信側管理装置に保持されているため、送信側管理装置が、各ＩＤの対応関係やコンテンツを漏洩させてしまった場合、受信側管理装置の装置内ＩＤが外部に流出してしまう。そのため、該ＩＤと流出したコンテンツの内容から、受信側管理装置の所有企業名や個人情報を不正入手されてしまう。
【０１４８】
一方、上述した実施例２では、コンテンツ１１０を受信した管理装置１００は、受信したコンテンツ１１０に付与されている仮ＩＤを自装置の装置内ＩＤに変換して、変換した装置内ＩＤを用いてコンテンツ１１０を識別する。したがって、たとえ連携先装置のＩＤ管理テーブル２０２ａが漏洩しても、コンテンツ１１０を受信した管理装置１００は、自身の仮ＩＤと装置内ＩＤの関連付けにかかるテーブルを秘匿する限り、外部に装置内ＩＤを把握されることはない。そのため、コンテンツ１１０を受信した管理装置１００も装置内ＩＤを秘匿することができ情報を盗用されない。
【０１４９】
また、管理装置１００は、他の管理装置１００が使用する装置内ＩＤを知らずとも、仮ＩＤを介してコンテンツ１１０を対応付けることができる。そのため、管理装置１００は、仮ＩＤを指定して所定の処理をするよう他の管理装置１００に要求すれば、他の管理装置１００に預けたコンテンツ１１０が複数あっても、複数のコンテンツ１１０のうちの一のコンテンツ１１０を特定して所定の処理をするよう指示することができる。所定の処理とは、例えば、コンテンツ１１０の送受信、編集、削除である。
【０１５０】
一方、上述した実施例２によれば、仮ＩＤと装置内ＩＤの関連付けは管理装置１００のユーザが他の管理装置１００の装置内ＩＤとは無関係に設定できるため他の管理装置１００が発行した自装置の装置内ＩＤと統一性のないＩＤを使用する必要はない。そのため、装置内ＩＤの統一性を保つことができ、上述したようなＩＤの混在はなくなる。
【０１５１】
また、従来技術のように、他の管理装置１００が発行したＩＤを自装置の装置内ＩＤとして使用する場合、他の管理装置１００が発行したＩＤが自装置の装置内ＩＤと重複し、ＩＤの一意性が保てない場合があった。一方、上述した実施例１では、自装置内で一意性が保たれれば、他の管理装置１００とＩＤの整合性を取る必要がないため、上述したようなＩＤの重複の虞はなくなる。
【０１５２】
上述した実施の形態では、管理装置１００は、コンテンツ１１０を送信する際には、コンテンツ１１０に付与されている装置内ＩＤを仮ＩＤに変換して送信するようにしたため、装置内ＩＤを秘匿することができ情報を盗用されないという効果を奏する。
【０１５３】
また、管理装置１００は、送信先装置に初めてコンテンツ１１０を送信する際には、送信されるコンテンツ１１０に付与された装置内ＩＤに関連付けて仮ＩＤを作成し、ＩＤ管理テーブル２０２ａに保持する。そのため、ＩＤ管理テーブル２０２ａに送信されるコンテンツ１１０に付与すべき仮ＩＤが保持されていない場合でも、作成した仮ＩＤを用いてコンテンツ１１０を送信することができる。
【０１５４】
そして、管理装置１００は、送信先装置から返送されたコンテンツ１１０を受信した場合、受信したコンテンツ１１０に付与されている仮ＩＤを自装置の装置内ＩＤに変換して、変換した装置内ＩＤを用いてコンテンツ１１０を識別する。そのため、仮ＩＤと装置内ＩＤの関連付けにかかる情報を秘匿する限り、外部に装置内ＩＤを把握されることはなく、装置内ＩＤを秘匿することができ情報を盗用されないという効果を奏する。
【０１５５】
また、管理装置１００は、コンテンツ１１０を受信した際には、受信したコンテンツ１１０に付与されている仮ＩＤを自装置の装置内ＩＤに変換して、変換した装置内ＩＤを用いてコンテンツ１１０を識別する。そのため、仮ＩＤと装置内ＩＤの関連付けにかかる情報を秘匿する限り、外部に装置内ＩＤを把握されることはなく、装置内ＩＤを秘匿することができ情報を盗用されないという効果を奏する。
【０１５６】
そして、管理装置１００は、受信したコンテンツ１１０が初めて受信したコンテンツ１１０である場合、受信したコンテンツ１１０に付与された仮ＩＤに関連付けて装置内ＩＤを作成し、ＩＤ管理テーブル２０２ａに保持する。管理装置１００は、受信したコンテンツ１１０に付与されている仮ＩＤをＩＤ管理テーブル２０２ａに保持した装置内ＩＤに変換して、変換した装置内ＩＤを用いてコンテンツ１１０を識別する。そのため、ＩＤ管理テーブル２０２ａに受信したコンテンツ１１０に付与すべき装置内ＩＤが保持されていない場合でも、作成した装置内ＩＤを用いてコンテンツ１１０を識別することができる。
【０１５７】
また、管理装置１００は、受信したコンテンツ１１０を送信元の管理装置１００へ送信する際には、コンテンツ１１０に付与されている装置内ＩＤを仮ＩＤに変換して送信するようにしたため、装置内ＩＤを秘匿することができ情報を盗用されないという効果を奏する。
【０１５８】
そして、管理装置１００は、仮ＩＤを付与されたログ要求を受信した場合、仮ＩＤを装置内ＩＤに変換し、ログ要求の対象となるコンテンツ１１０がどのコンテンツ１１０かを把握することができる。また、ログを装置内ＩＤに関連付けて記憶装置２０２に保持しているため、ログを要求されたコンテンツ１１０に関するログをログテーブル２０２ｂから検索することができ、検索したログをログ要求の要求元の管理装置１００に送信することができる。
【０１５９】
そして、ログ要求を受信した管理装置１００は、ログから操作種別を検索し、過去にコンテンツ１１０を送信した管理装置１００があれば、該管理装置１００にログ要求を転送する。この際、ログ要求を受信した管理装置１００は、ログ要求に付与された仮ＩＤを転送先の管理装置１００用の仮ＩＤに変換して、変換したログ要求を送信する。そのため、ログ要求を受信した管理装置１００は、転送先の管理装置１００にログを送信させることができる。
【０１６０】
また、管理装置１００は、該転送先の管理装置１００からログを受信した場合、該ログをログ要求の要求元の管理装置１００に送信するため、ログ要求の要求元の管理装置１００は、間接的に複数の管理装置１００にコンテンツ１１０が送信されている場合であってもログを収集することができる。
【０１６１】
なお、本実施の形態で説明した管理方法は、予め用意されたプログラムをパーソナル・コンピュータやワークステーション等のコンピュータで実行することにより実現することができる。本管理プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また本管理プログラムは、インターネット等のネットワークを介して配布することとしてもよい。
【０１６２】
上述した実施の形態に関し、さらに以下の付記を開示する。
【０１６３】
（付記１）第１の管理装置内で第１の識別情報が付与されたコンテンツの送信先として第２の識別情報を使用する第２の管理装置を指定する指定工程と、
前記指定工程によって前記第２の管理装置が指定された場合、前記第１の管理装置および前記第２の管理装置のいずれの管理装置でも使用されない第３の識別情報と前記第１の識別情報とを関連付けたテーブルを参照することにより、前記コンテンツに付与すべき識別情報を検索する検索工程と、
前記コンテンツに付与されている前記第１の識別情報を、前記検索工程によって検索された前記第３の識別情報に変換する変換工程と、
前記変換工程による変換により前記第３の識別情報が付与された前記コンテンツを前記第２の管理装置に送信する送信工程と、
を前記第１の管理装置に実行させることを特徴とする管理プログラム。
【０１６４】
（付記２）第１の管理装置内で第１の識別情報が付与されたコンテンツの送信先として第２の識別情報を使用する第２の管理装置を指定する指定工程と、
前記指定工程によって前記第２の管理装置が指定された場合、前記第１の管理装置および前記第２の管理装置のいずれの管理装置でも使用されない第３の識別情報と前記第１の識別情報とを関連付けたテーブルを登録する登録工程と、
前記第３の識別情報と前記第１の識別情報とを関連付けた前記テーブルを参照することにより、前記コンテンツに付与すべき識別情報を検索する検索工程と、
前記コンテンツに付与されている前記第１の識別情報を、前記検索工程によって検索された前記第３の識別情報に変換する変換工程と、
前記変換工程による変換により前記第３の識別情報が付与された前記コンテンツを前記第２の管理装置に送信する送信工程と、
を前記第１の管理装置に実行させることを特徴とする管理プログラム。
【０１６５】
（付記３）前記送信工程によって前記第２の管理装置に送信された前記コンテンツを前記第２の管理装置から受信する受信工程と、
前記受信工程によって受信されたコンテンツを前記第１の管理装置内の記憶領域に格納する格納工程と、を前記第１の管理装置に実行させ、
前記検索工程は、
前記テーブルを参照することにより、前記受信工程によって受信されたコンテンツに付与されている識別情報を検索し、
前記変換工程は、
前記検索工程によって前記第３の識別情報が検索された場合、前記コンテンツに付与されている識別情報を、前記第３の識別情報から前記テーブルにより前記第３の識別情報に関連付けされている前記第１の識別情報に変換し、
前記格納工程は、
前記変換工程による変換により前記第１の識別情報が付与された前記コンテンツを前記記憶領域に格納することを特徴とする付記１または２に記載の管理プログラム。
【０１６６】
（付記４）第１の識別情報を使用する第１の管理装置へのコンテンツを第２の識別情報を使用する第２の管理装置から受信する受信工程と、
前記第１の管理装置および前記第２の管理装置のいずれの管理装置でも使用されない第３の識別情報と前記第１の識別情報とを関連付けたテーブルを参照することにより、前記受信工程によって受信されたコンテンツに付与されている識別情報を検索する検索工程と、
前記検索工程によって前記第３の識別情報が検索された場合、前記コンテンツに付与されている識別情報を、前記第３の識別情報から前記テーブルにより前記第３の識別情報に関連付けされている前記第１の識別情報に変換する変換工程と、
前記変換工程による変換により前記第１の識別情報が付与された前記コンテンツを前記第１の管理装置内の記憶領域に格納する格納工程と、
を前記第１の管理装置に実行させることを特徴とする管理プログラム。
【０１６７】
（付記５）第１の識別情報を使用する第１の管理装置へのコンテンツを第２の識別情報を使用する第２の管理装置から受信する受信工程と、
前記受信工程によって受信されたコンテンツに付与されている識別情報に基づいて、前記第１の管理装置および前記第２の管理装置のいずれの管理装置でも使用されない第３の識別情報と前記第１の識別情報とを関連付けたテーブルを登録する登録工程と、
前記第３の識別情報と前記第１の識別情報とを関連付けた前記テーブルを参照することにより、前記受信工程によって受信されたコンテンツに付与されている識別情報を検索する検索工程と、
前記検索工程によって前記第３の識別情報が検索された場合、前記コンテンツに付与されている識別情報を、前記第３の識別情報から前記テーブルにより前記第３の識別情報に関連付けされている前記第１の識別情報に変換する変換工程と、
前記変換工程による変換により前記第１の識別情報が付与された前記コンテンツを前記第１の管理装置内の記憶領域に格納する格納工程と、
を前記第１の管理装置に実行させることを特徴とする管理プログラム。
【０１６８】
（付記６）前記格納工程によって前記記憶領域に格納された前記コンテンツの送信先を指定する指定工程と、
前記コンテンツの送信先への送信を実行する送信工程と、を前記第１の管理装置に実行させ、
前記検索工程は、
前記指定工程によって指定された送信先が前記第２の管理装置である場合、前記テーブルを参照することにより、前記記憶領域に格納された前記コンテンツに付与されている識別情報を検索し、
前記変換工程は、
前記検索工程によって前記第１の識別情報が検索された場合、前記記憶領域に格納された前記コンテンツに付与されている識別情報を、前記第１の識別情報から前記テーブルにより前記第１の識別情報に関連付けされている前記第３の識別情報に変換し、
前記送信工程は、
前記変換工程による変換により前記第３の識別情報が付与された前記記憶領域に格納された前記コンテンツを前記第２の管理装置に送信することを特徴とする付記４または５に記載の管理プログラム。
【０１６９】
（付記７）前記第１の識別情報が付与された前記コンテンツの前記第１の管理装置での実行履歴情報を、前記第１の識別情報に関連付けてデータベースに登録する登録工程を前記第１の管理装置に実行させ、
前記受信工程は、
前記第２の管理装置から前記第３の識別情報が付与された前記コンテンツの実行履歴要求を受信し、
前記検索工程は、
前記受信工程によって前記実行履歴要求が受信された場合、前記テーブルを参照することにより、前記第３の識別情報から前記第１の識別情報を検索し、当該検索された前記第１の識別情報に関連付けられている前記第１の管理装置での実行履歴情報を前記データベースから検索し、
前記送信工程は、
前記検索工程によって検索された前記第１の管理装置での実行履歴情報を前記第２の管理装置に送信することを特徴とする付記４〜６のいずれか一つに記載の管理プログラム。
【０１７０】
（付記８）前記検索工程により検索された前記第１の管理装置での実行履歴情報から、前記コンテンツの送信先を検出する検出工程を前記第１の管理装置に実行させ、
前記検索工程は、
前記検出工程によって、前記コンテンツが第４の識別情報を使用する第３の管理装置に送信されたことが検出された場合、前記第１の管理装置および前記第３の管理装置のいずれの管理装置でも使用されない第５の識別情報と前記第３の識別情報とを関連付けたテーブルを参照することにより、前記実行履歴要求に付与されている識別情報を検索し、
前記変換工程は、
前記検索工程によって前記第３の識別情報が検索された場合、前記実行履歴要求に付与されている識別情報を、前記第３の識別情報から前記第５の識別情報と前記第３の識別情報とを関連付けたテーブルにより前記第３の識別情報に関連付けされている前記第５の識別情報に変換し、
前記送信工程は、
前記変換工程による変換により前記第５の識別情報が付与された実行履歴要求を前記第３の管理装置へ送信することを特徴とする付記７に記載の管理プログラム。
【０１７１】
（付記９）前記受信工程は、
前記第３の管理装置から前記第３の管理装置での実行履歴情報を受信し、
前記送信工程は、
前記受信工程によって受信された前記第３の管理装置での実行履歴情報を、前記第２の管理装置に送信することを特徴とする付記８に記載の管理プログラム。
【０１７２】
（付記１０）第１の識別情報が付与されたコンテンツを記憶する第１の管理装置であって、
前記第１の管理装置内で第１の識別情報が付与されたコンテンツの送信先として第２の識別情報を使用する第２の管理装置を指定する指定手段と、
前記指定手段によって前記第２の管理装置が指定された場合、前記第１の管理装置および前記第２の管理装置のいずれの管理装置でも使用されない第３の識別情報と前記第１の識別情報とを関連付けたテーブルを参照することにより、前記コンテンツに付与すべき識別情報を検索する検索手段と、
前記コンテンツに付与されている前記第１の識別情報を、前記検索手段によって検索された前記第３の識別情報に変換する変換手段と、
前記変換手段による変換により前記第３の識別情報が付与された前記コンテンツを前記第２の管理装置に送信する送信手段と、
を備えることを特徴とする管理装置。
【０１７３】
（付記１１）第１の識別情報が付与されたコンテンツを記憶する第１の管理装置であって、
第１の管理装置内で第１の識別情報が付与されたコンテンツの送信先として第２の識別情報を使用する第２の管理装置を指定する指定手段と、
前記指定手段によって前記第２の管理装置が指定された場合、前記第１の管理装置および前記第２の管理装置のいずれの管理装置でも使用されない第３の識別情報と前記第１の識別情報とを関連付けたテーブルを登録する登録手段と、
前記第３の識別情報と前記第１の識別情報とを関連付けた前記テーブルを参照することにより、前記コンテンツに付与すべき識別情報を検索する検索手段と、
前記コンテンツに付与されている前記第１の識別情報を、前記検索手段によって検索された前記第３の識別情報に変換する変換手段と、
前記変換手段による変換により前記第３の識別情報が付与された前記コンテンツを前記第２の管理装置に送信する送信手段と、
を備えることを特徴とする管理装置。
【０１７４】
（付記１２）第１の識別情報が付与されたコンテンツを記憶する第１の管理装置であって、
第１の識別情報を使用する第１の管理装置へのコンテンツを第２の識別情報を使用する第２の管理装置から受信する受信手段と、
前記第１の管理装置および前記第２の管理装置のいずれの管理装置でも使用されない第３の識別情報と前記第１の識別情報とを関連付けたテーブルを参照することにより、前記受信手段によって受信されたコンテンツに付与されている識別情報を検索する検索手段と、
前記検索手段によって前記第３の識別情報が検索された場合、前記コンテンツに付与されている識別情報を、前記第３の識別情報から前記テーブルにより前記第３の識別情報に関連付けされている前記第１の識別情報に変換する変換手段と、
前記変換手段による変換により前記第１の識別情報が付与された前記コンテンツを前記第１の管理装置内の記憶領域に格納する格納手段と、
を備えることを特徴とする管理装置。
【０１７５】
（付記１３）第１の識別情報が付与されたコンテンツを記憶する第１の管理装置であって、
第１の識別情報を使用する第１の管理装置へのコンテンツを第２の識別情報を使用する第２の管理装置から受信する受信手段と、
前記受信手段によって受信されたコンテンツに付与されている識別情報に基づいて、前記第１の管理装置および前記第２の管理装置のいずれの管理装置でも使用されない第３の識別情報と前記第１の識別情報とを関連付けたテーブルを登録する登録手段と、
前記第３の識別情報と前記第１の識別情報とを関連付けた前記テーブルを参照することにより、前記受信手段によって受信されたコンテンツに付与されている識別情報を検索する検索手段と、
前記検索手段によって前記第３の識別情報が検索された場合、前記コンテンツに付与されている識別情報を、前記第３の識別情報から前記テーブルにより前記第３の識別情報に関連付けされている前記第１の識別情報に変換する変換手段と、
前記変換手段による変換により前記第１の識別情報が付与された前記コンテンツを前記第１の管理装置内の記憶領域に格納する格納手段と、
を備えることを特徴とする管理装置。
【０１７６】
（付記１４）第１の識別情報が付与されたコンテンツを記憶する第１の管理装置が、
前記第１の管理装置内で第１の識別情報が付与されたコンテンツの送信先として第２の識別情報を使用する第２の管理装置を指定する指定工程と、
前記指定工程によって前記第２の管理装置が指定された場合、前記第１の管理装置および前記第２の管理装置のいずれの管理装置でも使用されない第３の識別情報と前記第１の識別情報とを関連付けたテーブルを参照することにより、前記コンテンツに付与すべき識別情報を検索する検索工程と、
前記コンテンツに付与されている前記第１の識別情報を、前記検索工程によって検索された前記第３の識別情報に変換する変換工程と、
前記変換工程による変換により前記第３の識別情報が付与された前記コンテンツを前記第２の管理装置に送信する送信工程と、
を実行することを特徴とする管理方法。
【０１７７】
（付記１５）第１の識別情報が付与されたコンテンツを記憶する第１の管理装置が、
第１の管理装置内で第１の識別情報が付与されたコンテンツの送信先として第２の識別情報を使用する第２の管理装置を指定する指定工程と、
前記指定工程によって前記第２の管理装置が指定された場合、前記第１の管理装置および前記第２の管理装置のいずれの管理装置でも使用されない第３の識別情報と前記第１の識別情報とを関連付けたテーブルを登録する登録工程と、
前記第３の識別情報と前記第１の識別情報とを関連付けた前記テーブルを参照することにより、前記コンテンツに付与すべき識別情報を検索する検索工程と、
前記コンテンツに付与されている前記第１の識別情報を、前記検索工程によって検索された前記第３の識別情報に変換する変換工程と、
前記変換工程による変換により前記第３の識別情報が付与された前記コンテンツを前記第２の管理装置に送信する送信工程と、
を実行することを特徴とする管理方法。
【０１７８】
（付記１６）第１の識別情報が付与されたコンテンツを記憶する第１の管理装置が、
第１の識別情報を使用する第１の管理装置へのコンテンツを第２の識別情報を使用する第２の管理装置から受信する受信工程と、
前記第１の管理装置および前記第２の管理装置のいずれの管理装置でも使用されない第３の識別情報と前記第１の識別情報とを関連付けたテーブルを参照することにより、前記受信工程によって受信されたコンテンツに付与されている識別情報を検索する検索工程と、
前記検索工程によって前記第３の識別情報が検索された場合、前記コンテンツに付与されている識別情報を、前記第３の識別情報から前記テーブルにより前記第３の識別情報に関連付けされている前記第１の識別情報に変換する変換工程と、
前記変換工程による変換により前記第１の識別情報が付与された前記コンテンツを前記第１の管理装置内の記憶領域に格納する格納工程と、
を実行することを特徴とする管理方法。
【０１７９】
（付記１７）第１の識別情報が付与されたコンテンツを記憶する第１の管理装置が、
第１の識別情報を使用する第１の管理装置へのコンテンツを第２の識別情報を使用する第２の管理装置から受信する受信工程と、
前記受信工程によって受信されたコンテンツに付与されている識別情報に基づいて、前記第１の管理装置および前記第２の管理装置のいずれの管理装置でも使用されない第３の識別情報と前記第１の識別情報とを関連付けたテーブルを登録する登録工程と、
前記第３の識別情報と前記第１の識別情報とを関連付けた前記テーブルを参照することにより、前記受信工程によって受信されたコンテンツに付与されている識別情報を検索する検索工程と、
前記検索工程によって前記第３の識別情報が検索された場合、前記コンテンツに付与されている識別情報を、前記第３の識別情報から前記テーブルにより前記第３の識別情報に関連付けされている前記第１の識別情報に変換する変換工程と、
前記変換工程による変換により前記第１の識別情報が付与された前記コンテンツを前記第１の管理装置内の記憶領域に格納する格納工程と、
を実行することを特徴とする管理方法。
【符号の説明】
【０１８０】
１００  管理装置
５０１  指定部
５０２  検索部
５０３  変換部
５０４  送信部
５０５  登録部
５０６  受信部
５０７  格納部
５０８  検出部
【図１】
0005569326.tif 000002
【図２】
0005569326.tif 000003
【図３】
0005569326.tif 000004
【図４】
0005569326.tif 000005
【図５】
0005569326.tif 000006
【図６】
0005569326.tif 000007
【図７】
0005569326.tif 000008
【図８】
0005569326.tif 000009
【図９】
0005569326.tif 000010
【図１０】
0005569326.tif 000011
【図１１】
0005569326.tif 000012
【図１２】
0005569326.tif 000013
【図１３】
0005569326.tif 000014
【図１４】
0005569326.tif 000015
【図１５】
0005569326.tif 000016
【図１６】
0005569326.tif 000017